【手続補正書】
【提出日】平成17年8月1日(2005.8.1)
【手続補正１】
【補正対象書類名】特許請求の範囲
【補正対象項目名】全文
【補正方法】変更
【補正の内容】
【特許請求の範囲】
【請求項１】
反応電極が設けられた電解質膜に積層される積層面に反応ガスの流れるガス通路が形成されるとともに、そのガス通路に反応ガスを分配供給するための供給マニホルド形成用の供給孔と同ガス通路の反応ガスを排出するための排出マニホルド形成用の排出孔とがそれぞれ形成される燃料電池の集電板において、
前記ガス通路は集電板の端部で折り返す形状を有し、前記排出孔の前記集電板における開口面積ＳＡ１が前記供給孔の前記集電板における開口面積ＳＡ２よりも大きく設定されるとともに、折り返し部分より下流側の通路断面積ＳＡ３が同折り返し部分より上流側の通路断面積ＳＡ４よりも小さく設定されてなる
ことを特徴とする燃料電池の集電板。
【請求項２】
集電板は矩形状をなし、前記供給孔及び前記排出孔は集電板の一端部に形成されるとともに、その一端部において前記供給孔及び前記排出孔の間には冷却水が通過する冷却水孔が形成されてなる
請求項１記載の燃料電池の集電板。
【請求項３】
前記上流側の通路における集電板の端部側の側面の延長上に前記供給孔における前記冷却水孔と反対側の内面が形成されるとともに、同上流側の通路における集電板の端部と反対側の側面の延長上に前記冷却水孔における前記供給孔と反対側の内面が形成されてなる
請求項２記載の燃料電池の集電板。
【請求項４】
前記供給孔及び前記排出孔の断面形状が長方形に形成されるとともに、前記供給孔及び前記排出孔の形成される集電板の前記一端部側の辺に対して垂直となる同供給孔及び同排出孔の辺の長さが互いに等しい
請求項３記載の燃料電池の集電板。
【請求項５】
前記排出孔及び前記供給孔の各開口面積ＳＡ１，ＳＡ２の比（ＳＡ１／ＳＡ２）が１．０＜（ＳＡ１／ＳＡ２）＜３．０の範囲に設定される
請求項１乃至４のいずれかに記載の燃料電池の集電板。
【請求項６】
前記排出孔近傍の部分が格子状の通路として形成されるとともに、それ以外の部分の少なくとも一部が複数の独立した通路として形成される
請求項１乃至５のいずれかに記載の燃料電池の集電板。
【請求項７】
前記ガス通路の下流側通路断面積ＳＡ３と前記上流側通路断面積ＳＡ４との比（ＳＡ３／ＳＡ４）が０．３＜（ＳＡ３／ＳＡ４）＜１．０の範囲に設定される
請求項１乃至６のいずれかに記載の燃料電池の集電板。
【請求項８】
前記電解質膜に積層される両側の積層面の一方には燃料ガス通路が、他方には酸化剤ガス通路がそれぞれ前記ガス通路として形成されるとともに、前記供給孔としての燃料ガス供給孔及び酸化剤ガス供給孔並びに前記排出孔としての燃料ガス排出孔及び酸化剤ガス排出孔がそれぞれ形成され、前記冷却水孔としての冷却水供給孔及び冷却水排出孔がそれぞれ形成され、前記燃料ガス通路及び酸化剤ガス通路は集電板の二等分割線回りに対称的な形状を有し、且つ前記燃料ガス供給孔及び前記酸化剤ガス供給孔、前記燃料ガス排出孔及び前記酸化剤ガス排出孔、並びに前記冷却水供給孔及び前記冷却水排出孔がそれぞれ前記二等分割線について対称的な位置に形成されてなる
請求項２乃至７のいずれかに記載の燃料電池の集電板。
【請求項９】
反応電極が設けられた電解質膜と集電板とが複数積層されてなる積層体を備え、同積層体の内部に、前記電解質膜及び前記集電板間に形成された各ガス通路に反応ガスを分配供給する供給マニホルドと同ガス通路の反応ガスが排出される排出マニホルドとが同積層体の積層方向に沿って形成される燃料電池において、
前記ガス通路は、前記電解質膜が積層される前記集電板の積層面に同集電板の端部で折り返す形状を有して形成され、前記排出マニホルドの通路断面積ＳＢ１が前記供給マニホルドの通路断面積ＳＢ２よりも大きく設定されるとともに、折り返し部分より下流側の通路断面積ＳＢ３が同折り返し部分より上流側の通路断面積ＳＢ４よりも小さく設定されてなる
ことを特徴とする燃料電池。
【請求項１０】
集電板は矩形状をなし、前記供給マニホルド及び前記排出マニホルドは集電板の一端部に形成されるとともに、その一端部において前記供給マニホルド及び前記排出マニホルドの間には冷却水が通過する冷却水マニホルドが形成されてなる
請求項９記載の燃料電池。
【請求項１１】
前記上流側の通路における集電板の端部側の側面の延長上に前記供給マニホルドにおける前記冷却水マニホルドと反対側の内面が形成されるとともに、同上流側の通路における集電板の端部と反対側の側面の延長上に前記冷却水マニホルドにおける前記供給マニホルドと反対側の内面が形成されてなる
請求項１０記載の燃料電池。
【請求項１２】
前記供給マニホルド及び前記排出マニホルドの断面形状が長方形に形成されるとともに、前記供給マニホルド及び前記排出マニホルドの形成される集電板の前記一端部側の辺に対して垂直となる同供給マニホルド及び同排出マニホルドの辺の長さが互いに等しい
請求項１１記載の燃料電池。
【請求項１３】
各マニホルドの通路断面積ＳＢ１，ＳＢ２の比（ＳＢ１／ＳＢ２）が１．０＜（ＳＢ１／ＳＢ２）＜３．０の範囲に設定される
請求項９乃至１２のいずれかに記載の燃料電池。
【請求項１４】
前記排出マニホルドとの連通部分の近傍が格子状の通路として形成されるとともに、それ以外の部分の少なくとも一部が複数の独立した通路として形成される
請求項９乃至１３のいずれかに記載の燃料電池。
【請求項１５】
前記積層体は前記電解質膜及び前記集電板が重力方向と垂直な方向に複数積層されてなる
請求項１４に記載の燃料電池。
【請求項１６】
前記ガス通路の下流側通路断面積ＳＡ３と前記上流側通路断面積ＳＢ４との比（ＳＢ３／ＳＢ４）が０．３＜（ＳＢ３／ＳＢ４）＜１．０の範囲に設定される
請求項９乃至１５のいずれかに記載の燃料電池。
【請求項１７】
反応電極が設けられた電解質膜に積層される積層面に反応ガスの流れるガス通路が形成されるとともに、そのガス通路に反応ガスを分配供給するための供給マニホルド形成用の供給孔と同ガス通路の反応ガスを排出するための排出マニホルド形成用の排出孔とがそれぞれ形成される燃料電池の集電板において、
前記排出孔の前記集電板における開口面積ＳＡ１が前記供給孔の前記集電板における開口面積ＳＡ２よりも大きく設定され、且つ前記排出孔の辺のうち前記ガス通路側の辺の幅が前記供給孔の辺のうち前記ガス通路側の辺の幅よりも大きく設定されてなる
ことを特徴とする燃料電池の集電板。
【請求項１８】
反応電極が設けられた電解質膜と集電板とが複数積層されてなる積層体を備え、同積層体の内部に、前記電解質膜及び前記集電板間に形成された各ガス通路に反応ガスを分配供給する供給マニホルドと同ガス通路の反応ガスが排出される排出マニホルドとが同積層体の積層方向に沿って形成される燃料電池において、
前記排出マニホルドの通路断面積ＳＢ１が前記供給マニホルドの通路断面積ＳＢ２よりも大きく設定され、且つ前記排出マニホルドの通路断面における前記ガス通路側の辺の幅が前記供給マニホルドの通路断面における前記ガス通路側の辺の幅よりも大きく設定されてなる
ことを特徴とする燃料電池。
【手続補正２】
【補正対象書類名】明細書
【補正対象項目名】００４３
【補正方法】変更
【補正の内容】
【００４３】
上記構成によれば、請求項９乃至１５のいずれかに記載の発明の作用効果を一層好適に奏することができるようになる。
請求項１７に記載の発明では、反応電極が設けられた電解質膜に積層される積層面に反応ガスの流れるガス通路が形成されるとともに、そのガス通路に反応ガスを分配供給するための供給マニホルド形成用の供給孔と同ガス通路の反応ガスを排出するための排出マニホルド形成用の排出孔とがそれぞれ形成される燃料電池の集電板において、前記排出孔の前記集電板における開口面積ＳＡ１を前記供給孔の前記集電板における開口面積ＳＡ２よりも大きく設定し、且つ前記排出孔の辺のうち前記ガス通路側の辺の幅を前記供給孔の辺のうち前記ガス通路側の辺の幅よりも大きく設定するようにしている。
請求項１８に記載の発明では、反応電極が設けられた電解質膜と集電板とが複数積層されてなる積層体を備え、同積層体の内部に、前記電解質膜及び前記集電板間に形成された各ガス通路に反応ガスを分配供給する供給マニホルドと同ガス通路の反応ガスが排出される排出マニホルドとが同積層体の積層方向に沿って形成される燃料電池において、前記排出マニホルドの通路断面積ＳＢ１を前記供給マニホルドの通路断面積ＳＢ２よりも大きく設定し、且つ前記排出マニホルドの通路断面における前記ガス通路側の辺の幅を前記供給マニホルドの通路断面における前記ガス通路側の辺の幅よりも大きく設定するようにしている。